(57)【特許請求の範囲】
【請求項１】
少なくとも内襟と外襟を有し、前記内襟の首回りの長さは前記外襟の首回りの長さより短く構成され、前記内襟と前記外襟の長さの相違により前記内襟と前記外襟との間に通風口が形成され、かつ前記外襟は衣服の背面と連続して形成されることを特徴とする衣服。
【発明の詳細な説明】
【技術分野】
【０００１】  本発明は、上半身に着用する衣服に関し、特に夏季に用いる衣服に関する。
【背景技術】
【０００２】  暖められた空気が上昇することは、一般に広く知られている自然現象である。夏期において人が暑いと感じた時、シャツの襟を広げシャツと体の間に溜まった熱気、すなわち発汗作用による熱気を外部に放出することは、日常的な行為である。しかしながら公式な場所においてはシャツのボタンをすべて留め、ネクタイを締めることが求められる。このため公式な場所では体温による熱気を外部に放出することができず、人は暑さに対し我慢を強いられるという問題がある。【０００３】  上記問題の解決手段として、夏用のシャツに供される通風素材が考案されている。
通風素材によるシャツの例としてワイシャツが開示されている（特許文献１）。
このワイシャツは、肩部において通風機能を有し、テープ状にした複数の布が互いにずれて部分的に重なり合う構成としている。通風機能に効果を奏しているが、装着者の肩とシャツの間に熱気が通過する為の十分な隙間を確保できないため、シャツ内部に溜まった熱気を外部に放出する効果は限定されるという課題がある。【０００４】  また通風機能を備えたシャツの例として極暑用ワイシャツ襟が開示されている（特許文献２）。襟の内側に、局部突出フィラメントを持つ面テープを設け、局部突出高さを高くし、局部突出フィラメント列の間隔を広く構成し、通気柱を設けている。装着者の首の後ろに布が極力当たらないように構成され、極暑地において首に汗をかかないように構成した、とされている。【０００５】  気温が顕著に高い場合には、首に布が当たらない状態でも人間は首に汗をかく。この時、特許文献２では意図して内襟を備えないことを特徴としたことにより、襟が首の汗を吸収できないため装着者は不快に感じ、更に装着感が従来技術によるシャツと異なるという問題がある。【０００６】  前述した各特許文献に記載された従来技術によれば、いずれも、装着者の首廻りに通風機能を備えることにより、シャツ内部全体の熱気を外部に排出することを考慮し、かつ装着感を考慮して構成されていない。
【特許文献１】特開平８−４１７０２公報
【特許文献１】特開平６−２４０５０１公報
【発明の開示】
【発明が解決しようとする課題】
【０００７】  本発明の課題は次の通りである。上記課題及び問題を鑑み、シャツのボタンを全て留め、ネクタイを締めた状態においても発汗作用によって暖められシャツの内部に溜まった熱気を外部に排出するとともに、襟の装着感と汗の吸収性を保つシャツを提供する。
【課題を解決するための手段】
【０００８】  本発明に係る納涼衣服と納涼用具は、上記の目的を達成するため、次のように構成される。【０００９】  第一の納涼衣服（請求項１に対応）は、内襟と外襟を備え、内襟と外襟の間に通風口を配設することにより、襟に開口部を設ける。
【発明の効果】
【００１１】本発明によれば次の効果を奏する。利用者が本発明による衣服を身に着けた際、衣服の襟部分に通風口を設けることができ、体温による熱気を外部に逃がせる構成としたので、人間の発汗作用を補助し体温を下げることを可能とする。このため涼しさを感じるという利点があり、特に夏期に顕著な効果を奏する。また内襟により従来技術によるシャツの装着感と、汗の吸水性を保つことができる。
【発明を実施するための最良の形態】
【００１３】  本発明を実施するための好適な形態を添付図に基づいて説明する。なお、図面は符号の向きに見るものとする。また、右手のある方向を右と言うように、左右、前後および上下は装着者Ｍの体における方向を指す。装着者の上半身に装着する衣服であれば種類に限定されることなく実施可能であるが、ここでは一実施例としてワイシャツを取り上げ説明を行う。【００１４】  図１は、本発明にかかる第一実施形態（請求項１に該当）を備えた納涼衣服であるワイシャツを示す概略図である。【００１５】  図２は、図１に示されたワイシャツの襟部品を示す図である。長さの異なる２つの襟部品を用い、短い方が内襟１１長い方が外襟１２である。内襟１１の長さは装着者Ｍの首廻りの寸法により決められ、外襟１２の長さは後述する通風口１３の幅を基準に決定される。実施例では外襟１２の長さは内襟１１の長さに３ｃｍを加えた長さにした。【００１６】  内襟１１を外襟１２に縫製により装着する。この際、内襟１１の左右方向の両端部と外襟１２の左右方向の両端部を一致させ、それぞれの両端部数センチのみ縫製を行い縫い合わせる、襟の中央部は縫製されず内襟１１の中央部は外襟１２に拘束されない。実施例では内襟１１と外襟１２の両端部８ｃｍのみ縫製を行った。ただし本願発明は上記８ｃｍに限定するものでない。【００１７】  外襟１２は従来技術によりワイシャツ本体に縫い付けられ、図１に示すようにワイシャツ１０の襟となる。縫製方法は本願発明の主旨ではないので説明を省略する。このとき長さの異なる内襟１１と外襟１２は隙間を形成し図１に示す通風口１３となる。【００１８】  図３はワイシャツ１０を装着者Ｍの横から見た断面図である。図３に示すように内襟１１と外襟１２の間に通風口１３が構成されている。【００１９】  装着者は汗をかくことにより体温を下げようとする、この現象は夏季に顕著に表れる。このことは発汗作用と呼ばれ広く知られている。この際に背中と衣服の後方に挟まれた空気が暖められる。暖められた空気（熱気）は自然現象により上方に移動し、移動した空気は通風口１３を通ることにより、衣服の外部に放出される。この時背中以外の発汗作用によるワイシャツ１０内部の熱気についても同様に外部に放出される。更にワイシャツ１０の内襟１１が装着者Ｍの首の汗を吸収し、吸収された汗は蒸発し通風口１３から外部に放出される。【００２４】  このように、納涼衣服および納涼用具は装着者の発汗作用により暖められた空気を速やかに外部に放出できる構成としたので、発汗作用を速やかに行えるように補助し、装着者は体温を下げることができる。また装着による違和感を装着者に認識させることはない。【００２５】  納涼衣服では、実施の形態でワイシャツを用いたが、ネクタイの装着を前提としないシャツ、もしくは上着にも実施可能であり、同様の効果を奏することは言うまでもない。なお通風口を襟に構成する手段は上記説明に限定されるものではなく、本願発明の主旨に反しない限り、様々な手段を構成できる。【００２６】  なお、本発明の納涼衣服は、充分に小型な換気扇を装着し併用してもよい。さらに通風口に開閉できるシャッタ機能を持たせ、気候の変化に対応できる構成としてもよい。
【産業上の利用可能性】
【００４３】本発明の納涼衣服は、夏季におけるネクタイを装うことを前提としたシャツに適用し好適に作用する。
【図面の簡単な説明】
【００４４】
【図１】  本願発明の納涼衣服であるワイシャツを示す斜視図である。
【図２】  納涼衣服の襟部品を示した図である。
【図３】  納涼衣服が着用された状態における、納涼衣服の断面図である。
【図４】  本願発明の納涼用具を示す斜視図である。
【符号の説明】
【００４５】１０…納涼衣服であるワイシャツ
１１…納涼衣服の内襟
１２…納涼衣服の外襟
１３…通風口
１４…ネクタイ
２０…納涼用具
２１…通風口
２５…フック
【図１】
0004706951.tif 000002
【図２】
0004706951.tif 000003
【図３】
0004706951.tif 000004